(57)【要約】    【課題】      非接触ＩＣではない他の通信手段による情報の送受信を選択可能とするとともに、低消費電力で使用することができる携帯端末装置を提供すること。    【解決手段】  携帯電話が一対配置してシステムが構成される。携帯電話装置１０１は、メモリ１０２と、制御部１０３と、無線部１０４と、電源供給部１０５と、非接触ＩＣ１０６と、リーダライタ１０７と、情報選択部１０８とを備える。携帯電話装置１０１において送受信されるべき情報（第２の情報）を指定する第１の情報は非接触ＩＣ１０６もしくはリーダライタ１０７を介して情報選択部１０８に与えられ、情報選択部１０８はメモリ１０２を選択して第２の情報が選択する。選択された第２の情報は、無線部１０４を介して携帯電話装置１５１に送信される。制御部１０３は電源供給部１０５を介して、第１の情報の送受信に伴い無線部１０４への電源の供給を開始し、第２の情報の送受信終了に伴い停止する。    【選択図】    図１
2006163925.tif 000002
【特許請求の範囲】
【請求項１】
非接触ＩＣに対し読み書き可能なリーダライタと、
第１の情報がプログラム可能に格納される非接触ＩＣと、
第２の情報を格納するためのメモリと、
前記リーダライタにより送受信された前記第１の情報または前記非接触ＩＣに格納されている前記第１の情報に基づいて前記第２の情報を選択するための情報選択手段と、
前記情報選択手段により選択された前記第２の情報を送受信するための無線手段と、
前記無線手段に電源を供給するための電源供給手段と、
前記リーダライタによる非接触ＩＣに対する読み書きに応動して電源の供給を開始させると共に、前記情報選択手段によって選択された前記メモリについて格納されている前記第２の情報を前記無線手段により送受信し、第２の情報の送受信終了後、前記電源供給手段から前記無線手段への電源の供給を停止させる制御手段と、
を具備することを特徴とする携帯端末装置。
【請求項２】
前記リーダライタは、他の携帯端末装置に接近した際当該他の携帯端末装置の前記非接触ＩＣと前記第１の情報の送受信を行うことを特徴とする請求項１記載の携帯端末装置。
【発明の詳細な説明】
【技術分野】
【０００１】
本発明は、非接触ＩＣを備えた携帯端末装置に関する。
【背景技術】
【０００２】
近時、非接触ＩＣを備えた携帯端末装置を用いた電子商取引などが行われているが、非接触ＩＣを用いた情報の送受信では転送スピードが遅いために動画や静止画などの大容量な情報の送受信をすることができなかった。
【０００３】
そこで、大容量な情報を送受信するために、非接触ＩＣによる通信を先行させその後大容量の送受信を行う、非接触ＩＣと非接触ＩＣでない他の通信手段とを併用するシステムが提案されている（例えば、特許文献１参照）。
【特許文献１】特開２００３−８５６５９号公報
【発明の開示】
【発明が解決しようとする課題】
【０００４】
しかしながら、上記特許文献１に記載のシステムにあっては、携帯端末装置内部の非接触ＩＣのリーダライタでは非接触ＩＣの内容を書き換えることができない。従って、特許文献１に記載のシステムでは非接触ＩＣで選定する情報は予め定まっており、携帯端末装置の使用者は、非接触ＩＣの内容を書き換えて、必要とする情報を選択するという便利な利用をすることができなかった。また、特許文献１に記載のシステムでは、選定される情報は予め定まっているので、この選定された情報の容量が多い場合にはその送受信のための時間が長大となり、携帯端末装置の消費電力が大きくなってしまうという問題があった。
【０００５】
本発明は、かかる点に鑑みてなされたものであり、携帯端末装置内の非接触ＩＣの内容を書き換え可能とし、書き換えられた非接触ＩＣ内の情報によって、非接触ＩＣではない他の通信手段で情報を送受信する際に送受信する情報を選択することができ、その結果あわせて、非接触ＩＣではない他の通信手段を低消費電力で使用することができる携帯端末装置を提供することを目的とする。
【課題を解決するための手段】
【０００６】
かかる課題を解決するため本発明の携帯端末装置は、非接触ＩＣに対し読み書き可能なリーダライタと、第１の情報がプログラム可能に格納される非接触ＩＣと、第２の情報を格納するためのメモリと、前記リーダライタにより送受信された前記第１の情報または前記非接触ＩＣに格納されている前記第１の情報に基づいて前記第２の情報を選択するための情報選択手段と、前記情報選択手段により選択された前記第２の情報を送受信するための無線手段と、前記無線手段に電源を供給するための電源供給手段と、前記リーダライタによる非接触ＩＣに対する読み書きに応動して電源の供給を開始させると共に、前記情報選択手段によって選択された前記メモリについて格納されている前記第２の情報を前記無線手段により送受信し、第２の情報の送受信終了後、前記電源供給手段から前記無線手段への電源の供給を停止させる制御手段とを具備する構成を採る。
【発明の効果】
【０００７】
本発明によれば、携帯端末装置間での非接触ＩＣによる情報の送受信をするために、非接触ＩＣに格納される第１の情報がプログラム可能であり、この第１の情報により、非接触ＩＣではない他の通信手段で情報を送受信する際に送受信する情報を選択することができ、また、非接触ＩＣではない他の通信手段を低消費電力で使用することができる。
【発明を実施するための最良の形態】
【０００８】
（実施の形態）
図１は、本発明の一実施の形態の携帯端末装置の構成を示すブロック図である。図１においては、携帯端末装置１０１および携帯端末装置１５１を一対左右に図示する。この図において両携帯端末装置１０１、１５１は同一の構成を有している。
【０００９】
図１に示すように、本実施の形態に係る携帯端末装置１０１（１５１）は、メモリ１０２（１５２）と、制御部１０３（１５３）と、無線部１０４（１５４）と、電源供給部１０５（１５５）と、非接触ＩＣ１０６（１５６）と、リーダライタ１０７（１５７）と、情報選択部１０８（１５８）とを備える。
【００１０】
非接触ＩＣ１０６はリーダライタ１０７を介して、第１の情報を非接触で読み書きすることができる。メモリ１０２は、第２の情報を格納する。情報選択部１０８はメモリ１０２に格納する第２の情報を選択する。無線部１０４は、情報選択部１０８により選択されたメモリ１０２に格納された第２の情報を送受信することができる。電源供給部１０５は、無線部１０４に電源を供給することができる。制御部１０３は、無線部１０４と電源供給部１０５と非接触ＩＣ１０６とリーダライタ１０７と情報選択部１０８を制御する。
【００１１】
図２は、携帯端末装置１０１から携帯端末装置１５１に第２の情報を送信する方法その１の利用イメージを示す。この図２においては、携帯端末装置１０１で送信したい第２の情報を選択し、携帯端末装置１０１と携帯端末装置１５１を接近させた時にまず第１の情報による通信を携帯端末装置１０１と携帯端末装置１５１の間で行い、その後第２の情報を携帯端末装置１０１から携帯端末装置１５１に送信する。
【００１２】
以下、携帯端末装置１０１から携帯端末装置１５１に第２の情報を送信する方法その１について説明する。
【００１３】
利用者の設定に応じて、制御部１０３は、携帯端末装置１０１から携帯端末装置１５１に送信する第２の情報を情報選択部１０８を介して選択する。今図２に示すように、メモリ１０２にはデータ１ないしデータ４が格納されているとして、データ３が選択されるとする。情報選択部１０８により選択された第２の情報（この場合は、データ３）を携帯端末装置１５１に送信する前に、制御部１０３は、選択された第２の情報（この場合は、データ３）を送信することを指し示す第１の情報を非接触ＩＣ１０６に格納する。
【００１４】
次にこの状態で携帯端末装置１０１と携帯端末装置１５１を接近させ、携帯端末装置１５１に備えられたリーダライタ１５７が非接触ＩＣ１０６に格納された第１の情報を読み込んだときに、電源供給部１０５により無線部１０４に電源を供給すると共に、情報選択部１０８により選択された第２の情報を無線部１０４により送信する。同様に、携帯端末装置１５１においては備えられたリーダライタ１５７が非接触ＩＣ１０６に格納された第１の情報を読み込んだときに、携帯端末装置１５１に備えられた電源供給部１５５により無線部１５４に電源を供給すると共に、情報選択部１５８により選択された第２の情報を無線部１５４により受信する。
【００１５】
この様にして第２の情報の送信が終了すると、携帯端末装置１０１の制御部１０３は電源供給部１０５から無線部１０４への電源供給を停止する。同様に、携帯端末装置１５１は、この第２の情報の受信が終了すると、電源供給部１５５から無線部１５４への電源供給を停止する。なおこのとき、第１の情報は、第２の情報を送信することを指し示すための情報だけではなく第２の情報の種類や容量等を含んでもよい。また、第２の情報として、動画、静止画や音楽情報等を送信してもよい。
【００１６】
次に、携帯端末装置１０１から携帯端末装置１５１に第２の情報を送信する方法その２について説明する。図３は、携帯端末装置１０１から携帯端末装置１５１に第２の情報を送信する方法その２の利用イメージを示す。
【００１７】
この図３においては、携帯端末装置１５１で、携帯端末装置１０１から送信してもらいたい第２の情報を選択し、携帯端末装置１０１と携帯端末装置１５１を接近させた時に第１の情報による通信を携帯端末装置１０１と携帯端末装置１５１の間で行い、その通信結果に基づき第２の情報を携帯端末装置１０１から携帯端末装置１５１に送信する。
【００１８】
利用者の設定に応じて、携帯端末装置１５１の制御部１５３は、携帯端末装置１０１から携帯端末装置１５１に送信してもらいたい第２の情報を情報選択部１５８を介して選択する。この選択と同時に情報選択部１５８により選択された第２の情報（図３の場合は、データ３）を指し示す情報を第１の情報として非接触ＩＣ１５６に格納する。すなわち、非接触ＩＣ１５６の内容は、制御部１５３によってプログラム可能になっている。これによって利用者は携帯電話装置間で送受信する第２の情報を選択することができる。
【００１９】
次にこの状態で携帯端末装置１０１と携帯端末装置１５１とを接近させると、携帯端末装置１０１に備えられたリーダライタ１０７が非接触ＩＣ１５６に格納された第１の情報を読み込む。この第１の情報の読み込みに伴い、制御部１０３は、携帯端末装置１０１に備えられた電源供給部１０５により無線部１０４に電源を供給させると共に、情報選択部１０８により選択された第２の情報（図３の場合、データ３）を無線部１０４により送信する。同様に、この携帯端末装置１０１に備えられたリーダライタ１０７が非接触ＩＣ１５６に格納された第１の情報を読み込んだことに応動して、携帯端末装置１５１の制御部１５３は、電源供給部１５５により無線部１５４に電源を供給させ、無線部１５４を受信可能状態とする。これに伴い、無線部１５４は携帯端末装置１０１から送信される第２の情報を受信する。
【００２０】
携帯端末装置１０１は、携帯端末装置１５１から要求された第２の情報の送信が終了すると、制御部１０３により電源供給部１０５を介して無線部１０４への電源供給を停止する。これにより携帯端末装置１０１の消費電力は削減ないし最小化される。同様に、携帯端末装置１５１では、第２の情報の受信が終了すると、電源供給部１５５から無線部１５４への電源供給を停止され、その消費電力は削減ないし最小化される。
【００２１】
次に図４に示す例について説明する。図４は、携帯端末装置１０１が携帯端末装置１５１から第２の情報を受信する方法その１の利用イメージを示す。この図４において、携帯端末装置１０１で受信したい第２の情報を選択し、携帯端末装置１０１と携帯端末装置１５１を接近させた時に第１の情報による通信を携帯端末装置１０１と携帯端末装置１５１の間で行い、図２や図３の場合同様この通信結果に基づき、第２の情報を携帯端末装置１０１が携帯端末装置１５１から受信する。
【００２２】
利用者の設定に応じて、携帯端末装置１０１の制御部１０３は、携帯端末装置１５１から受信しようとする第２の情報を情報選択部１０８により選択する。これと同時に制御部１０３は、受信をしたい携帯端末装置１５１の第２の情報を指し示す第１の情報を非接触ＩＣ１０６に格納する。このように非接触ＩＣ１０６の内容を書き換えること、すなわち非接触ＩＣ１０６の内容はプログラム可能とすることによって、携帯端末装置１０１の利用者は、携帯端末装置１５１から所望の情報ないしデータである第２の情報を受信する準備が整う。
【００２３】
次にこの状態で携帯端末装置１０１と携帯端末装置１５１とを接近させると、携帯端末装置１５１に備えられたリーダライタ１５７が、携帯端末装置１０１の非接触ＩＣ１０６に格納された第１の情報を読み込む。この第１の情報の読み込みに伴い、携帯端末装置１５１は、携帯端末装置１０１から送信を要求されている第２の情報を知ることになる。
【００２４】
これに伴い、携帯端末装置１５１の制御部１５３は、電源供給部１５５により無線部１５４に電源を供給させると共に、携帯電話端末１０１が送信を要求する第２の情報を無線部１５４により送信する。同様に、携帯端末装置１５１に備えられたリーダライタ１５７が非接触ＩＣ１０６に格納された第１の情報を読み込んだときに、携帯端末装置１０１の制御部１０３は、備えられた電源供給部１０５により無線部１０４に電源を供給し、受信可能状態を確立する。その結果、携帯端末装置１０１は、携帯端末装置１５１が送信してくる選択された第２の情報を無線部１０４により受信する。この第２の情報の受信が終了すると携帯端末装置１０１の制御部１０３は、電源供給部１０５から無線部１０４への電源供給を停止する。これによって不要な消費電力は最小限に抑えられる。同様に、携帯端末装置１５１は、第２の情報の送信が終了すると、電源供給部１５５から無線部１５４への電源供給を停止して、消費電力を押さえる。
【００２５】
次に、携帯端末装置１０１が携帯端末装置１５１から第２の情報を受信する方法その２について説明する。図５は、携帯端末装置１０１が携帯端末装置１５１から第２の情報を受信する方法その２の利用イメージを示す。
【００２６】
この図５においては、携帯端末装置１５１で、携帯端末装置１０１に受信させたい携帯端末装置１５１の第２の情報を選択し、携帯端末装置１０１と携帯端末装置１５１を接近させた時に第１の情報による通信を携帯端末装置１０１と携帯端末装置１５１の間で行い、第２の情報を携帯端末装置１０１が携帯端末装置１５１から受信する。
【００２７】
利用者の設定に応じて、携帯端末装置１５１の制御部１５３は、携帯端末装置１０１にて受信させたい携帯端末装置１５１からの第２の情報を情報選択部１５８によって選択する。この選択と同時に情報選択部１５８により選択された第２の情報を携帯端末装置１０１が受信することを指し示す第１の情報として非接触ＩＣ１５６に格納する。すなわち、このように非接触ＩＣ１５６の内容が更新されることにより、第２の情報の選定が確定する。
【００２８】
次にこの状態で携帯端末装置１０１と携帯端末装置１５１とを接近させると、携帯端末装置１０１に備えられたリーダライタ１０７が、携帯端末装置１５１側の非接触ＩＣ１５６に格納された第１の情報を読み込む。このリーダライタ１０７の読み込みのタイミングに同期して、携帯端末装置１５１の制御部１５３は、その中に備えられた電源供給部１５５により無線部１５４に電源を供給させ無線部１５４を確立させると共に、情報選択部１５８を介して選択された第２の情報を無線部１５４により送信する。同様に、携帯端末装置１０１に備えられたリーダライタ１０７が非接触ＩＣ１５６に格納された第１の情報を読み込んだときに、携帯端末装置１０１に備えられたその制御部１０３は、電源供給部１５５により無線部１０４に電源を供給させ、無線部１０４を受信可能状態とする。これに伴い、無線部１０４は、携帯端末装置１５１の情報選択部１５８により選択した第２の情報を受信する。
【００２９】
このように第２の情報の受信が終了すると、携帯端末装置１０１は、制御部１０３の制御により、電源供給部１０５からの無線部１０４への電源供給を停止する。同様に、携帯端末装置１５１は、第２の情報の送信が終了すると、電源供給部１５５から無線部１５４への電源供給を停止する。この様にして、両携帯端末装置１０１および１５１は送受信が終了すると、消費電力が極小化することができる。
【００３０】
なお、上の説明で分かるように、両携帯端末装置１０１（１５１）は、非接触ＩＣ１０６（１５６）と対応するリーダライタ１５７（１０７）の送受信が確立したことを条件に、上述の電源供給・停止のタイミングを同期化している。この送受信確立を検出する技術は、周知・慣用の技術を採用することができる。
【００３１】
また、先に述べたことと同様、図５における第１の情報は、第２の情報を受信することを指し示すための情報だけではなく第２の情報の種類や容量等を含んでもよい。また、第２の情報として、動画、静止画や音楽情報等を送信してもよい。
【００３２】
以上説明したように、本実施の形態に係る携帯端末装置によれば、携帯端末装置間での非接触ＩＣによる情報の送受信ができ、また、非接触ＩＣではない他の通信手段で情報を送受信する際に送受信する情報を選択することができ、また、非接触ＩＣではない他の通信手段を低消費電力で使用することができる。
【産業上の利用可能性】
【００３３】
本発明の携帯端末装置は、携帯端末装置間での非接触ＩＣによる情報の送受信ができ、また、非接触ＩＣではない他の通信手段で情報を送受信する際に送受信する情報を選択することができ、また、非接触ＩＣではない他の通信手段を低消費電力で使用することができる効果を有し、携帯電話等に有用である。
【図面の簡単な説明】
【００３４】
【図１】本発明の一実施の形態の携帯端末装置の構成を示すブロック図
【図２】本発明の一実施の形態における第２の情報を送信する方法その１の利用イメージ図
【図３】本発明の一実施の形態における第２の情報を送信する方法その２の利用イメージ図
【図４】本発明の一実施の形態における第２の情報を受信する方法その１の利用イメージ図
【図５】本発明の一実施の形態における第２の情報を受信する方法その２の利用イメージ図
【符号の説明】
【００３５】
１０１、１５１  携帯端末装置
１０２、１５２  メモリ
１０３、１５３  制御部
１０４、１５４  無線部
１０５、１５５  電源供給部
１０６、１５６  非接触ＩＣ
１０７、１５７  リーダライタ
１０８、１５８  情報選択部
【図１】
2006163925.tif 000003
【図２】
2006163925.tif 000004
【図３】
2006163925.tif 000005
【図４】
2006163925.tif 000006
【図５】
2006163925.tif 000007